(57)【要約】  ソーシャルコネクションの形成に関連する情報を伝える光を使用したシステムが開示される。個々に制御可能な照明器具を制御する１つ又はそれ以上の照明コントローラが、光を使用したリモートソーシャルコネクションを識別し、形成するために通信ネットワークと共に用いられる。また、視覚化コントローラが、近くに存在するソーシャルコネクションを視覚的に認識するために、視覚化インフラストラクチャ、視覚化アクチュエータ、位置特定システム及び識別システムと共に用いられる。
2012525048.tif 000002
【特許請求の範囲】
【請求項１】
照明ネットワーク内の第１の個々に制御可能な照明器具を制御し、第１の位置識別子を示す第１の信号及び第１の局所光の設定を示す第２の信号を送る第１の照明コントローラと、
少なくとも前記第１の位置識別子を前記第１の局所光の設定と関連付ける第１のメモリと、
前記第２の信号から前記第１の局所光の設定を決定し、前記第１の局所光の設定と相関関係がある第２の局所光の設定に関連する少なくとも１つの第２の位置識別子を前記第１のメモリから受け取るプロセッサと、
前記少なくとも１つの第２の位置識別子を前記プロセッサから受け取り、光を使用した接続の可能性を示す第３の信号を送る通信ネットワークと、
前記少なくとも１つの第２の位置識別子に関連する位置にある第２の照明コントローラであって、照明ネットワーク内の第２の個々に制御可能な照明器具を制御し、前記通信ネットワークから前記第３の信号を受け取り、それに応じて前記通信ネットワークを介して光を使用した接続の確立に対する関心を示す第４の信号を送る当該第２の照明コントローラと
を有するソーシャルコネクションを形成する光を使用したシステムであって、
前記プロセッサは、前記第４の信号を受け取り、第２のメモリ内において前記第１の位置識別子と前記少なくとも１つの第２の位置識別子との関連付けをもたらす、当該光を使用したシステム。
【請求項２】
前記個々に制御可能な照明器具が、１つ又はそれ以上の照明ユニットの複数の機構を有し、前記１つ又はそれ以上の照明ユニットの複数の機構は、１つ又はそれ以上のＬＥＤを使用した光源を有する、請求項１記載の光を使用したシステム。
【請求項３】
前記個々に制御可能な照明器具が、１つ又はそれ以上のＬＥＤを使用した光源を有する、請求項１記載の光を使用したシステム。
【請求項４】
第１の光の設定を前記第１の照明コントローラに伝達する第１のユーザインターフェースと、第２の光の設定を前記第２の照明コントローラに伝達する第２のユーザインターフェースとを更に有する、請求項１記載の光を使用したシステム。
【請求項５】
前記第１の局所光の設定と前記第２の局所光の設定との前記相関関係が、
前記第１の局所光の設定に関連する第１の色度と前記第２の局所光の設定に関連する第２の色度との差、又は
前記第１の局所光の設定に関連する第１の輝度と前記第２の局所光の設定に関連する第２の輝度との差
に基づく、請求項１記載の光を使用したシステム。
【請求項６】
前記光を使用した接続の可能性を示す前記第３の信号が、前記第２の局所光の設定に関連する輝度の増加を示す信号を有し、
前記光を使用した接続の確立に対する関心を示す前記第４の信号が、前記第１の局所光の設定に関連する輝度の増加を示す信号を有し、
前記第４の信号が、所定の間隔で前記第３の信号から一時的に分離される、請求項１記載の光を使用したシステム。
【請求項７】
前記プロセッサが、第２のメモリ内の前記少なくとも１つの第２の位置識別子を識別し、前記第１の局所光の設定と相関関係がある次の第２の局所光の設定に関連する次の第２の位置識別子を識別するために前記第１のメモリを調べる、請求項１記載の光を使用したシステム。
【請求項８】
前記プロセッサが、前記第２のメモリ内において前記第１の位置識別子と前記少なくとも１つの第２の位置識別子との前記関連付けをもたらした後、前記通信ネットワークが、前記第１の照明コントローラから第３の局所光の設定を示す第５の信号を受け取り、
前記第２のメモリが前記第１の位置識別子と前記少なくとも１つの第２の位置識別子との関連付けを含んでいることを決定すると、前記通信ネットワークは、前記第２の照明コントローラに前記第５の信号を送る、請求項１記載の光を使用したシステム。
【請求項９】
前記第３の局所光の設定が、選択された色及び輝度を指定する光の設定又は選択された順序の色及び各色に関連する輝度を指定する光の設定を有し、
前記第３の局所光の設定が、以下の少なくとも１つ、すなわち、アルファベットの文字、数字、単語及び語句の少なくとも１つを有する通信要素を表す、請求項８記載の光を使用したシステム。
【請求項１０】
前記プロセッサが、前記第２のメモリ内において前記第１の位置識別子と前記少なくとも１つの第２の位置識別子との前記関連付けをもたらした後、前記通信ネットワークが、以下の少なくとも１つ、すなわち、テキスト文字、静止画像、手掛かり、ビデオファイル及びオーディオファイルの少なくとも１つを有する第１のデータを示す追加の信号を前記第１の照明コントローラから受け取り、
前記第２のメモリが前記第１の位置識別子と前記第２の位置識別子との関連付けを含んでいることを決定すると、前記プロセッサは、前記第２の照明コントローラに前記追加の信号を送る、請求項１記載の光を使用したシステム。
【請求項１１】
照明ネットワーク内の個々に制御可能な照明器具を制御し、第１の位置識別子を示す第１の信号及び第１の局所光の設定を示す第２の信号を送る照明コントローラと、
少なくとも前記第１の位置識別子を前記第１の局所光の設定と関連付ける第１のメモリと、
前記第２の信号から前記第１の局所光の設定を決定し、前記第１の局所光の設定と相関関係がある第２の局所光の設定に関連する少なくとも１つの第２の位置識別子を前記第１のメモリから受け取るプロセッサと、
前記少なくとも１つの第２の位置識別子を前記プロセッサから受け取り、光を使用した接続の可能性を示す第３の信号を送る通信ネットワークと
を有するソーシャルコネクションを形成する光を使用したシステムであって、
前記照明コントローラは、前記第３の信号を受け取り、それに応じて、光を使用した接続の確立に対する関心を示す第４の信号を送るとともに、前記プロセッサは、前記照明コントローラから前記第４の信号を受け取り、第２のメモリ内において前記第１の位置識別子と前記少なくとも１つの第２の位置識別子との関連付けをもたらす、当該光を使用したシステム。
【請求項１２】
前記個々に制御可能な照明器具が、１つ又はそれ以上の照明ユニットの複数の機構を有し、前記１つ又はそれ以上の照明ユニットの複数の機構は、１つ又はそれ以上のＬＥＤを使用した光源を有する、請求項１１記載の光を使用したシステム。
【請求項１３】
前記個々に制御可能な照明器具が、１つ又はそれ以上のＬＥＤを使用した光源を有する、請求項１１記載の光を使用したシステム。
【請求項１４】
前記照明コントローラに光の設定を伝達する少なくとも１つの第１のユーザインターフェース及び少なくとも１つの第２のユーザインターフェースを更に有する、請求項１１記載の光を使用したシステム。
【請求項１５】
前記プロセッサが、前記第２のメモリ内において前記第１の位置識別子と前記第２の位置識別子との前記関連付けをもたらした後、前記照明コントローラが、前記第１の位置識別子及び第３の局所光の設定を示す信号を送り、
前記第２のメモリが前記第１の位置識別子と前記第２の位置識別子との前記関連付けを含んでいることを決定し、前記第２の位置識別子及び前記第３の局所光の設定を示す信号を受け取ると、前記照明コントローラは、前記第３の局所光の設定に従って光の設定を作るために、前記第２の位置識別子において個々に制御可能な照明器具を制御する、請求項１１記載の光を使用したシステム。
【請求項１６】
前記プロセッサが、前記第２のメモリ内において前記第１の位置識別子と前記第２の位置識別子との前記関連付けをもたらした後、前記照明コントローラが、前記第１の位置識別子と、以下の少なくとも１つ、すなわち、テキスト文字、静止画像、手掛かり、ビデオファイル及びオーディオファイルの少なくとも１つを有するデータとを示す信号を送り、
前記第２のメモリが前記第１の位置識別子と前記第２の位置識別子との関連性を含んでいることを決定すると、前記照明コントローラは、前記第２の位置識別子及び前記データを示す信号を受け取る、請求項１１記載の光を使用したシステム。
【請求項１７】
ユーザの位置を決定し、ユーザの位置を示す第１の信号を送る位置特定システムと、
ユーザに関連するユーザ識別子を決定し、前記ユーザ識別子を示す第２の信号を送る識別システムと、
前記ユーザ識別子を１つ又はそれ以上のユーザデータと関連付けるメモリと、
前記第１の信号及び前記第２の信号を受け取り、前記ユーザ識別子に関連する前記１つ又はそれ以上のユーザデータを前記メモリから取り出し、前記１つ又はそれ以上のユーザデータ及びユーザの位置を有する組み合わせに基づいてオーラ作成コマンドを生成し、少なくとも前記１つ又はそれ以上のユーザデータを有するオーラを視覚的に表示するユーザに近い１つ又はそれ以上の視覚化アクチュエータを制御する視覚化インフラストラクチャに前記オーラ作成コマンドを送る視覚化コントローラと
を有する、ソーシャルコネクションを形成する光を使用したシステム。
【請求項１８】
ユーザの位置がユーザの向きを含む、請求項１７記載の光を使用したシステム。
【請求項１９】
ユーザ近くの電子モバイルデバイスであって、該電子モバイルデバイスについてのデバイス識別子を示す第３の信号を送る当該電子モバイルデバイスを更に有し、
前記位置特定システムが、前記第３の信号に基づいて前記電子モバイルデバイスの位置を決定するとともに、前記電子モバイルデバイスの位置に基づいてユーザの位置を決定し、
前記識別システムが、前記デバイス識別子に基づいて前記ユーザ識別子を決定する、請求項１７記載の光を使用したシステム。
【請求項２０】
前記電子モバイルデバイスが、前記視覚化コントローラ及び前記メモリの１つ又はそれ以上を有する、請求項１９記載の光を使用したシステム。
【請求項２１】
前記視覚化コントローラがオーラパワーオフコマンドを生成し、
前記視覚化インフラストラクチャが、前記オーラパワーオフコマンドを受け取り、前記オーラが消えるようにユーザ近くの前記１つ又はそれ以上の視覚化アクチュエータを制御する、請求項１７記載の光を使用したシステム。
【請求項２２】
ユーザ近くの電子モバイルデバイスを更に有し、前記電子モバイルデバイスは、前記電子モバイルデバイスについてのデバイス識別子を示す第３の信号及び前記電子モバイルデバイスの位置を示す第４の信号を送り、
前記位置特定システムが、前記第４の信号に基づいて前記電子モバイルデバイスの位置を決定するとともに、前記電子モバイルデバイスの位置に基づいてユーザの位置を決定し、
前記識別システムが、前記第３の信号に基づいて前記ユーザ識別子を決定する、請求項１７記載の光を使用したシステム。
【請求項２３】
前記１つ又はそれ以上のユーザデータが、以下の少なくとも１つ、すなわち、ユーザの最近の経験、ユーザの今後の計画及びユーザの個人的な興味の少なくとも１つを有する、請求項１７記載の光を使用したシステム。
【請求項２４】
前記オーラが、以下の少なくとも１つ、すなわち、単色光、多色光のパターン、画像及び映像の少なくとも１つを有する、請求項１７記載の光を使用したシステム。
【請求項２５】
前記１つ又はそれ以上のユーザデータが、第１のデータ項目及び第２のデータ項目を有し、
前記第１のデータ項目は、前記第２のデータ項目よりも高い関連性の信用度を割り当てられ、
前記視覚化インフラストラクチャは、前記第１のデータ項目が前記第２のデータ項目よりも前記オーラの中央に表示されるように前記１つ又はそれ以上の視覚化アクチュエータを制御する、請求項１７記載の光を使用したシステム。
【請求項２６】
前記視覚化アクチュエータが、以下の少なくとも１つ、すなわち、照明ネットワーク内の個々に制御可能な照明器具、ディスプレイ、プロジェクタ及びピクセルで構成されたライトタイルの少なくとも１つを有し、
前記個々に制御可能な照明器具は、１つ又はそれ以上の照明ユニットの複数の機構を有し、
前記１つ又はそれ以上の照明ユニットの複数の機構は、１つ又はそれ以上のＬＥＤを使用した光源を有する、請求項１７記載の光を使用したシステム。
【請求項２７】
前記メモリ内の情報を修正する、前記メモリに情報を追加する又は前記メモリから情報を削除するユーザインターフェースを更に有し、前記情報は、前記１つ又はそれ以上のユーザデータ、前記ユーザ識別子、前記少なくとも１つのユーザデータとユーザ識別子との関連性及び少なくとも１つの前記ユーザデータを表示する許可の１つ又はそれ以上を有する、請求項１７記載の光を使用したシステム。
【請求項２８】
前記視覚化コントローラが、更に前記１つ又はそれ以上のユーザデータを表示することの適切性の自動決定に基づいて前記オーラ作成コマンドを生成し、前記自動決定は、前記１つ又はそれ以上のユーザデータが該１つ又はそれ以上のユーザデータの表示を制限する表示ポリシに関連しているかどうか決定することを有する、請求項１７記載の光を使用したシステム。
【請求項２９】
前記位置特定システムは、ＧＰＳ、アシスト型ＧＰＳ、三角測量、信号強度解析及び加速度計技術の少なくとも１つを有する技術により前記モバイルデバイスの位置を決定し、
前記識別システムは、ユーザの固有の特徴を認識し、前記固有の特徴に関連するユーザ識別子に関して第２のメモリを調べる技術を利用することによりユーザに関連する前記ユーザ識別子を決定する、請求項１９記載の光を使用したシステム。
【請求項３０】
前記１つ又はそれ以上のユーザデータが、時間データを有するメタデータに更に関連し、
前記１つ又はそれ以上のユーザデータが、第１のメタデータと関連する第１のデータ項目及び第２のメタデータと関連する第２のデータ項目を少なくとも有し、前記第１及び第２のメタデータは、前記第１のデータ項目が前記第２のデータ項目よりも最近であることを共に示し、
前記視覚化コントローラは、表示される前記オーラが前記第２のデータ項目よりも前記第１のデータ項目を強調するように前記第１及び第２のメタデータを更に利用することにより前記オーラ作成コマンドを生成する、請求項１７記載の光を使用したシステム。
【請求項３１】
前記オーラが、光のパターン、順序又は色を有し、
前記光のパターン、順序又は色は、光を使用した接続を形成することに対する興味又は特別な活動に参加することに対する興味の程度を有する意味を伝え、
当該システムが、前記意味を前記光のパターン、順序又は色と関連付け、前記光のパターン、順序又は色に関連する前記意味を検索するユーザインターフェースを更に有する、請求項１７記載の光を使用したシステム。
【請求項３２】
ユーザが第１のユーザを有し、前記１つ又はそれ以上のユーザデータが１つ又はそれ以上の第１のユーザデータを有し、
第２のオーラ作成コマンドの受け取りに応じて、前記視覚化インフラストラクチャが、第２のオーラを視覚的に表示する第２のユーザ近くの１つ又はそれ以上の視覚化アクチュエータを更に制御し、前記第２のオーラ作成コマンドは、以下の１つ又はそれ以上、すなわち、第２のユーザ識別子に関連する１つ又はそれ以上の第２のユーザデータ及び第２のユーザの位置の１つ又はそれ以上を有し、前記第２のオーラは、前記１つ又はそれ以上の第２のユーザデータを有し、
前記１つ又はそれ以上の第１のユーザデータと前記１つ又はそれ以上の第２のユーザデータとの相関関係の検出に応じて、前記視覚化インフラストラクチャが、第１のユーザと第２のユーザとの関連性を視覚的に表示するために１つ又はそれ以上の視覚化アクチュエータを制御する、請求項１７記載の光を使用したシステム。
【請求項３３】
前記視覚化インフラストラクチャが、前記オーラを表示するために１つ又はそれ以上の感覚アクチュエータを更に制御し、前記感覚アクチュエータは、非視覚型のアクチュエータを有する、請求項１７記載の光を使用したシステム。
【請求項３４】
前記非視覚型のアクチュエータが、聴覚アクチュエータ又は嗅覚アクチュエータを有する、請求項３３記載の光を使用したシステム。
【請求項３５】
ユーザが追跡され、この追跡は、前記位置特定システムがユーザの最新の位置を定期的に決定することと、ユーザの前記最新の位置を示す信号を送ることとを有し、
前記視覚化コントローラが、ユーザの前記最新の位置を示す前記信号を定期的に受け取り、更にユーザの前記最新の位置に基づいて最新のオーラ作成コマンドを生成する、請求項１７記載の光を使用したシステム。
【請求項３６】
前記第１の局所光の設定と前記第２の局所光の設定との前記相関関係の程度が少なくとも以前に選択された調節可能な量である場合に、前記第１の位置識別子と前記少なくとも１つの第２の位置識別子との関連付けがなされる、請求項１記載の光を使用したシステム。
【請求項３７】
ユーザの位置を決定し、ユーザの位置を示す第１の信号を送る位置特定システムと、
ユーザに関連するユーザ識別子を決定し、前記ユーザ識別子を示す第２の信号を送る識別システムと、
前記ユーザ識別子を１つ又はそれ以上のユーザデータと関連付けるメモリと、
前記第１の信号及び前記第２の信号を受け取り、前記ユーザ識別子に関連する前記１つ又はそれ以上のユーザデータを前記メモリから取り出し、少なくとも前記１つ又はそれ以上のユーザデータに基づいてオーラ作成コマンドを生成し、少なくとも前記１つ又はそれ以上のユーザデータを有するオーラを視覚的に表示する１つ又はそれ以上の視覚化アクチュエータを制御する視覚化インフラストラクチャに前記オーラ作成コマンドを送る視覚化コントローラと
を有する、ソーシャルコネクションを形成する光を使用したシステム。
【発明の詳細な説明】
【技術分野】
【０００１】
本発明は、広義には、ソーシャルコミュニケーションのための光を使用したシステム及び装置に向けられている。より詳細には、本発明は、ソーシャルコネクションの形成に関連する情報を伝える光を使用したシステムに向けられている。
【背景技術】
【０００２】
デジタル照明技術、すなわち、発光ダイオード（ＬＥＤ）のような半導体発光源をベースにした照明は、今日、従来の蛍光灯、ＨＩＤ及び白熱灯に対する実行可能な代替手段を与えている。高いエネルギー変換及び光効率、耐久性並びにより低い作業コストのような多くの機能的利点と相まったＬＥＤ技術の最近の進歩は、様々な照明効果を可能にする効率的で頑強なフルスペクトルの照明源の開発をもたらしてきた。例えば、これらの照明源を具現化した器具は、米国特許第６，０１６，０３８号及び第６，２１１，６２６号公報に述べられているように、様々な色及び色変化の照明効果を作り出すために、種々の色、例えば、赤、緑及び青を発生させることができる１つ又はそれ以上のＬＥＤと、該ＬＥＤの出力を個々に制御するプロセッサとを含んでいる。上記米国特許第６，０１６，０３８号及び第６，２１１，６２６号公報は、参照することにより本明細書に組み込まれたものとする。
【０００３】
また、デジタル技術における新たな開発は、精密な照明の制御を実現させてきた。その結果、光を使用したシステムは、個人に情報を視覚的に伝えるために現在用いられている。例えば、夕食に使う店で席に案内されることを待っている客は、スタッフが彼らを座席に案内する準備ができた時を視覚的に知らせる携帯無線呼出し器を与えられることが多い。
【０００４】
デジタル照明技術の進歩が正確に制御可能な照明を生み出す一方で、通信媒体としてのインターネットの大きくかつ増え続ける人気は、社会的関係を形成しようとしている人の要求を満たすように意図されたソーシャルネットワーキングウェブサイトのホストの発生をもたらしてきた。リモートソーシャルコネクションの形成に関心を持っている人に非常に多くの利益をもたらすにもかかわらず、そのようなウェブベースのソーシャルネットワーキング技術は、同じ場所に物理的に存在する個人間のソーシャルコネクションを形成しやすくするように意図されたバー及びクラブのような既存の店にシームレスにとけ込む能力に欠けている。そのようなソーシャルネットワーキング技術は、幾つかある理由の中で特に、ユーザがリモートソーシャルコネクションの形成に対して自分の周りに物理的に存在する人との有意義な社会的交流に同時に参加することができなくなるようにする程度の注意を払うことをユーザに要求するので、既存の社会環境にシームレスにとけ込むことができない。従って、ソーシャルコネクションを形成することを望む人は、一方ではバー又はクラブのような社交施設に足を運ぶことと、他方では１つ又はそれ以上の既存のソーシャルネットワーキング技術を使用することとの間で選択を委ねられる。
【０００５】
その結果、実際に他人がいるところで個人が他人との有意義な社会的交流に参加すること及びリモートソーシャルコネクションを同時に形成することの両方を可能にする技術的解決策が不足している。これは、個人がソーシャルコネクションを形成することを支援するために作られた現在の解決策が、制御可能な固体照明及び通信ネットワークのような他の技術分野における進歩を同時に活用していないことが原因の一つである。従って、制御可能な固体照明の領域における進歩をネットワーク化されたコミュニケーションの領域における進歩と技術的に組み合わせる必要がある。
【０００６】
ネットワーク化されたコミュニケーションの領域における進歩と共に、無線通信、より詳細にはブロードバンド無線通信の分野における発展が、ビデオデータのような豊かな内容の（content-rich）データのワイヤレスのやりとりを実現させてきた。無線ブロードバンド通信技術は、今日、携帯電話又は個人用の携帯情報端末のような個人用の携帯電子通信機器と組み合わせて用いられる際、個人に自身についての情報をほぼ瞬時にかつ動的に共有する能力を与える。
【発明の概要】
【発明が解決しようとする課題】
【０００７】
そのような技術の有用性にもかかわらず、現在、識別された人がその後互いに関心のある社会活動に参加できるようにするための時間的制約下での公共の場における短期的なソーシャルコネクションの識別を含む問題に対する十分な解決策が存在しない。例えば、商用で一人で旅をしている人は、美術館を訪れる又はゴルフを１ラウンドする等の社会活動に参加するよく似た関心を持った他の人との交流を望んでいる。しかしながら、（ｉ）そのような人が数時間の娯楽時間しか持つことができない場合、及び（ｉｉ）そのような人が前もって娯楽時間を予定に組み込むことはできない場合、現在利用可能なソーシャルネットワーキング技術は、そのような時間的制約を考慮に入れることなく設計されていることが多く、そのような状況下で実行可能な解決策を与えない。
【０００８】
また、長期的な交流を見つける際に有効な従来のソーシャルコネクション技術は、個人が、（ｉ）同じすぐ近くにいる、及び（ｉｉ）互いに関心のある１つ又はそれ以上の社会活動に参加するために現在話をすることが可能な（又はかなり短期間のうちに話をすることが可能な）他人を素早く識別し、連絡を取ることを助けるのに十分に適していない。更に、現在利用可能なソーシャルネットワーキング技術は、制御可能な固体照明のパワーを活用していないので、そのような技術は、個人の物理的な環境の中に存在する個人についての可能なソーシャルコンタクトを視覚的に識別することができない。従って、そのような技術は、必要とされそうであるホテルのロビー及び鉄道の駅のような混雑していることが多い公共の場において効果的でありそうにない。その結果、公共の場にいる人がよく似た関心を共有する近くにいる人を瞬時に識別し、やり取りすることを可能にする技術的な解決策が不足している。
【課題を解決するための手段】
【０００９】
本願発明者等は、ここに、制御可能な固体照明の領域における進歩をネットワーク化されたコミュニケーションの領域における進歩と技術的に組み合わせる大きな必要性が存在することを認識及び理解した。特に、本願発明者等は、個人が自分の物理的な環境の中にいる人との有意義な社会的交流に参加することとリモートソーシャルコネクションの形成に同時に参加することとの両方を現在の技術的解決策が可能にしないことを認識するとともに、制御可能な固体照明の領域における進歩を通信ネットワークの領域における進歩と組み合わせることは、ある状況下で特に有利な解決策を与える能力を持っていることを認識した。これらの状況は、個人がリモートソーシャルコネクションの形成に関与することを望み、それと同時により近くに存在する人と関係を持つことも含む状態を含んでいる。その結果、本発明は、ユーザが可能なリモートソーシャルコンタクトと交信することを可能にし、更に、より近くに存在する人と同時に交流することの自由をそのようなユーザに委ねもする光を使用したソーシャルコミュニケーションシステム及び装置の形成に向けられている。
【００１０】
本願発明者等は、更に、制御可能な固体照明の領域における進歩を無線ブロードバンド通信の領域における進歩とともに技術的に活用する真の必要性があることを認識及び理解した。その点において、本願発明者等は、個人を視覚的に識別する能力が、ある状況下において極めて重要であることを認識した。そのような状況は、現在共通の関心のある活動に参加することが可能な人が、混雑していることが多い公共の場において可能な短期的なソーシャルコネクションを容易に識別することを望む状態を含んでいる。本願発明者等は、また、任意の可能なソーシャルコンタクトを視覚的に識別することは、可能なソーシャルコンタクトのボディランゲージのような有効な情報を利用可能にするという更なる利点があることを見出した。そのような情報は、ソーシャルコンタクトを開始するか否かに関して最終決定する際に大いに意味のあるものとなる。その結果、この開示は、互いに関心のある社会活動への参加に関心がある近くに位置する個人間のソーシャルコネクションを形成するための光を使用したシステム及び装置にも向けられている。
【００１１】
本発明の多くの形態は、個人間のソーシャルコネクションの識別及び形成における制御可能な固体照明の使用を含んでいる。例えば、多くの形態では、照明コントローラが、バーのような店の特定の領域の周囲照明をとらえる光の設定（setting）を伝達する。この光の設定は、異なる店の座席区域又は同じ店の中の異なる座席区域のような離れた位置における１つ又はそれ以上の周囲光の設定に電子的にマッチングする。その後、これらの離れた位置の人に信号を送るために、通信ネットワークが用いられる。そのような信号は、マッチングした離れた位置における周囲照明を一時的に変更するように個々に制御可能な照明器具を誘導することにより光を使用したソーシャルコネクションの可能性を伝える。一度マッチングした離れた位置における人が光を使用したソーシャルコネクションの可能性を通知されると、そのような人は、例えば、自身の周囲光の設定を一時的に変更することによって光を使用したソーシャルコネクションを形成したいという欲求を伝えることを選択できる。
【００１２】
本発明の幾つかの形態は、可能なリモートソーシャルコネクションを識別するために周囲光の設定を用いるので、リモートソーシャルコネクションを形成するそのような形態を使用する人は、自身の物理的な環境の中にいる他人との社会的交流に同時に参加する自由を保たれている。従って、リモートソーシャルコネクションの形成を可能にする現在の既存のシステムとは異なり、本発明の種々の形態に係る光を使用したシステムは、個人が自身の物理的な周囲の状況の中で可能なソーシャルコネクションと関係を持つこと及び同時にリモートソーシャルコネクションの形成に参加することの両方を可能にする。
【００１３】
一般に、本発明の種々の形態によれば、ソーシャルコネクションを形成する光を使用したシステムは、第１の照明コントローラ、第１のメモリ、プロセッサ、通信ネットワーク、第２の照明コントローラ及び第２のメモリを含んでいる。上記第１の照明コントローラは、照明ネットワーク内の複数の個々に制御可能な照明器具を制御し、第１の位置識別子を示す第１の信号及び第１の位置識別子に関連する第１の局所光の設定を示す第２の信号を送る。上記プロセッサは、第１の制御コントローラから第２の信号を受け取り、第１の局所光の設定を決定する。多くの形態では、上記プロセッサは、その後、第１のメモリから第２の局所光の設定に関連する少なくとも１つの第２の位置識別子を受け取る。ここで、第２の局所光の設定と第１の局所光の設定との間には相関関係が存在する。上記通信ネットワークは、第１のメモリから受け取った少なくとも１つの第２の位置識別子をプロセッサから受け取り、光を使用した接続の可能性を示す第３の信号を送る。或る形態によれば、上記光を使用した接続の可能性を示す第３の信号は、第２の局所光の設定に関連する輝度の増加を示す信号を有している。多くの形態では、上記第２の照明コントローラは、第１のメモリから受け取られる少なくとも１つの第２の位置識別子に近い個々に制御可能な照明器具を制御する照明コントローラである。上記第２の照明コントローラは、通信ネットワークから第３の信号を受け取り、それに応じて、光を使用した接続の確立に対する関心を示す第４の信号を送る。上記プロセッサは、その後、第２の照明コントローラから送られる第４の信号を受け取り、第２のメモリ内において第１の位置識別子と第２の位置識別子との関連付けをもたらす。或る形態では、上記光を使用した接続の確立に対する関心を示す第４の信号は、第１の局所光の設定に関連する輝度の増加を示す信号を有している。また、或る形態によれば、上記第４の信号及び上記第３の信号は、第４の信号が、第３の信号に反応し、光を使用した接続の確立に対する関心を示すとみなされるために、せいぜい所定の間隔で一時的に分離されなければならない。
【００１４】
本発明の或る観点では、第２の局所光の設定に関連する少なくとも１つの第２の位置識別子を上記第１のメモリから受け取ることは、プロセッサが、最初に第１のメモリ内の少なくとも１つの第２の位置識別子の位置を突き止め、次いで、少なくとも１つの第２の位置識別子の存在について第２のメモリを調べることを含んでいる。上記プロセッサは、第２のメモリ内に少なくとも１つの第２の位置識別子を見つけると、本発明の或る観点によれば、既に識別された少なくとも１つの第２の位置識別子を破棄し、第１の局所光の設定と相関関係がある第２の局所光の設定に関連する少なくとも他の第２の位置識別子についての第１のメモリへの問い合わせに戻る。
【００１５】
本発明の或る観点では、上記第１の局所光の設定と第２の局所光の設定との相関関係は、第１の局所光の設定に関連する色度と第２の局所光の設定に関連する色度との差に基づいている。上記相関関係は、また、第１の局所光の設定に関連する輝度と第２の局所光の設定に関連する輝度との差に基づいていてもよい。
【００１６】
本発明の或る形態によれば、ソーシャルコネクションを形成する光を使用したシステムは、照明コントローラ、第１のメモリ、プロセッサ、通信ネットワーク及び第２のメモリを含んでいる。上記照明コントローラは、照明ネットワーク内の複数の個々に制御可能な照明器具を制御し、第１の位置識別子を示す第１の信号及び第１の局所光の設定を示す第２の信号を送る。上記プロセッサは、第１の制御コントローラにより送られる第２の信号から第１の局所光の設定を決定し、第１の局所光の設定と相関関係がある第２の局所光の設定に関連する少なくとも１つの第２の位置識別子を第１のメモリから受け取る。上記通信ネットワークは、その後、少なくとも１つの第２の位置識別子をプロセッサから受け取り、光を使用した接続の可能性を示す第３の信号を送る。或る実施の形態では、上記照明コントローラは、通信ネットワークから第３の信号を受け取り、それに応じて、光を使用した接続の確立に対する関心を示す第４の信号を送る。上記プロセッサは、また、照明コントローラから第４の信号を受け取り、第２のメモリ内において第１の位置識別子と少なくとも１つの第２の位置識別子との関連付けをもたらす。
【００１７】
本発明の多くの形態によれば、ソーシャルコネクションを形成する光を使用したシステムは、位置特定システム、識別システム、メモリ、視覚化コントローラ、視覚化インフラストラクチャ及び１つ又はそれ以上の視覚化アクチュエータを有している。上記位置特定システムは、当該システムのユーザに関連する位置及び向きを決定し、その後、ユーザの位置及び向きを示す第１の信号を送る。上記識別システムは、ユーザに関連するユーザ識別子を決定し、その後、ユーザ識別子を示す第２の信号を送る。上記視覚化コントローラは、第１及び第２の信号を受け取り、ユーザ識別子に関連する１つ又はそれ以上のユーザデータをメモリから取り出し、ユーザデータ、ユーザの位置及びユーザの向きを含む組み合わせに基づいてオーラ作成コマンドを生成する。上記視覚化コントローラは、更に、オーラ作成コマンドを視覚化インフラストラクチャに送る。その後、上記視覚化インフラストラクチャは、少なくともユーザに関連する１つ又はそれ以上のユーザデータを有するオーラを表示するために、ユーザに近い１つ又はそれ以上の視覚化アクチュエータを制御する。
【００１８】
本発明の他の形態によれば、上記視覚化コントローラは、第１及び第２の信号を受け取り、ユーザ識別子に関連する１つ又はそれ以上のユーザデータをメモリから取り出し、ユーザデータを含む組み合わせに基づいてオーラ作成コマンドを生成する。上記視覚化コントローラは、更に、オーラ作成コマンドを視覚化インフラストラクチャに送る。その後、上記視覚化インフラストラクチャは、ユーザ識別子が１つ又はそれ以上のユーザデータを取り出すために用いられた上記ユーザとは異なる第２のユーザに近い１つ又はそれ以上の視覚化アクチュエータを制御する。上記視覚化インフラストラクチャは、その後、少なくとも１つ又はそれ以上のユーザデータを有するオーラが第２のユーザの近くで表示されるようにする。
【００１９】
本発明の或る観点によれば、上述した位置特定システム、識別システム、メモリ、視覚化コントローラ、視覚化インフラストラクチャ及び１つ又はそれ以上の視覚化アクチュエータを有するソーシャルコネクションを形成する光を使用したシステムは、更に、当該システムのユーザに近い電子モバイルデバイスを含んでいてもよい。この電子モバイルデバイスは、該電子モバイルデバイスに関連するデバイス識別子を示す第３の信号を送る。本発明のそのような観点によれば、上記位置特定システムは、第３の信号に基づいて電子モバイルデバイスの位置及び向きを決定するとともに、電子モバイルデバイスの位置及び向きに基づいてユーザの位置及び向きを決定する。更に、上記位置特定システムは、デバイス識別子に基づいてユーザ識別子を決定する。
【００２０】
本発明の種々の観点によれば、上述したソーシャルコネクションを形成する光を使用したシステムは、更に、情報を入力する１つ又はそれ以上のユーザインターフェースを含んでいてもよい。そのようなユーザインターフェースは、メモリ、デジタル写真のようなユーザデータ及び例えば個人的な興味又はユーザの最近の経験を表す映像に入力する又はそれらから削除するために用いられ得る。そのようなユーザインターフェースは、また、メモリ、ユーザ識別子、ユーザデータとユーザ識別子との関連付け及びユーザのオーラにおいてユーザデータが表示される詳細度に関する情報に入力する又はそれらから削除するためにも用いられ得る。更に、そのようなユーザインターフェースは、詳しいユーザデータを表示するための許可を指定するために用いられ得る。例えば、１つ又はそれ以上の設定可能な表示ポリシとメモリ内の１つ又はそれ以上のユーザデータとの関連付けをもたらすことにより、ユーザは、メモリ内に存在する設定可能な表示ポリシを用いて、あるユーザデータが表示されないかもしれない状況を動的に制御することができる。本発明の或る観点では、そのようなユーザインターフェースは、また、ユーザがオーラのグラフィック表示を選択すること及び選択されたオーラと関係があるユーザデータをブラウズすることを可能にする。
【００２１】
本発明に係るシステムを用いる幾つかの利点が存在する。第１に、現在利用可能なソーシャルコネクションシステムとは異なり、上記例示的なシステムは、ユーザの物理的な環境の中に存在する人との社会的交流に同時に参加するユーザの能力を著しく損なうことなく、ユーザが光を使用したリモートソーシャルコネクションを形成することを可能にする。第２に、上記例示的なシステムは、従来のソーシャルコネクションシステムとは異なり、最近行った娯楽的活動のような関連のある情報をそれぞれの可能なソーシャルコネクションの人物の近くで視覚的に表示することにより、ユーザがユーザの物理的な環境の中に存在する１つ又はそれ以上の可能なソーシャルコネクションを視覚的に認識することを可能にする。第３に、上記例示的なシステムは、既存のソーシャルコネクションシステムとは異なり、更に、効果音のような聴覚的合図、振動のような触角的合図又は合図のタイプの組み合わせを有する非視覚型の合図を用いて可能なソーシャルコネクションが近くに位置することをユーザに知らせる。また、上記例示的なシステムは、ユーザが可能なソーシャルコネクションを視覚的に識別し、確認することを可能にすることにより、ソーシャルコンタクトを開始するか否かを決定する際に、ユーザが可能なソーシャルコネクションのボディランゲージ又は顔の表情のような他の関連のある情報を考慮に入れることを可能にする。
【００２２】
上述の概念及び以下に極めて詳細に説明される更なる概念の全ての組み合わせは（そのような概念が相互に矛盾しないならば、）、本明細書において開示される発明の主観的事項の一部であると考えられることを理解されたい。特に、この開示の最後に示される特許請求の範囲の主観的事項の全ての組み合わせは、本明細書において開示される発明の主観的事項の一部であると考えられる。また、参照することにより組み込まれるいずれの開示にも表れ得る本明細書において明示的に使用される用語は、本明細書で開示される特定の概念と最も一貫性がある意味を与えられることも理解されたい。
【図面の簡単な説明】
【００２３】
【図１Ａ】複数の照明コントローラを使用する本発明の実施の形態に係るソーシャルコネクションを形成する光を使用したシステムを示している。
【図１Ｂ】図１Ａに示されている光を使用したシステムの実施の形態に含まれる１つ又はそれ以上の構成要素により実行される例示的なステップを示している。
【図２】単一の照明コントローラが使用される本発明の或る他の実施の形態に係るソーシャルコネクションを形成する光を使用したシステムを示している。
【図３】システムのユーザとの相互関係が詳細に説明された本発明の他の実施の形態に係るソーシャルコネクションを形成する光を使用したシステムを示している。
【図４】オーラが使用される本発明の他の実施の形態に係るソーシャルコネクションを形成する光を使用したシステムを示している。
【図５】１つ又はそれ以上のモバイル電子デバイスが使用される本発明の或る実施の形態に係るソーシャルコネクションを形成する光を使用したシステムを示している。
【図６】視覚化コントローラ及びメモリが電子モバイルデバイス内に含まれる本発明の他の実施の形態に係るソーシャルコネクションを形成する光を使用したシステムを示している。
【図７】オーラを伴う本発明の他の実施の形態に係るソーシャルコネクションを形成する光を使用したシステムを示している。
【発明を実施するための形態】
【００２４】
これから、本発明の具体的な実施の形態が詳細に述べられ、これらの例は添付の図面に示されている。
【００２５】
図１Ａは、本発明の多くの実施の形態に係るソーシャルコネクションを形成する光を使用したシステム１００を示している。システム１００は、照明コントローラ１１０、プロセッサ１２０、メモリ１３０、通信ネットワーク１４０、照明コントローラ１５０及びメモリ１６０を含んでいる。
【００２６】
照明コントローラ１１０は、リンク１０６を介して照明ネットワーク１７０内の複数の個々に制御可能な照明器具１７５を制御し、リンク１０１を介して第１の位置識別子を示す第１の信号及び上記第１の位置識別子に関連した第１の局所光の設定を示す第２の信号を送る。
【００２７】
「照明コントローラ」という用語は、本明細書では、１つ又はそれ以上の照明器具の動作に関連する種々の装置を広く説明するために用いられる。照明コントローラを含むコントローラは、本明細書において述べられる様々な機能を実行するために（例えば、専用ハードウェアを用いて等の）種々の方法で実現され得る。「プロセッサ」は、本明細書において述べられる様々な機能を実行するためにソフトウェア（例えば、マイクロコード）を用いてプログラムされ得る１つ又はそれ以上のマイクロプロセッサを使用するコントローラの一例である。コントローラは、プロセッサを用いて又は用いないで実現され、また、幾つかの機能を実行するための専用ハードウェアと他の機能を実行するためのプロセッサとの組み合わせ（例えば、１つ又はそれ以上のプログラムされたマイクロプロセッサ及び関連回路）としても実現され得る。本開示の種々の実施の形態に使用され得るコントローラの構成要素の例は、従来のマイクロプロセッサ、特定用途向け集積回路（ＡＳＩＣ）及びフィールドプログラマブルゲートアレイ（ＦＰＧＡ）を含んでいるが、これらに限定されない。
【００２８】
照明コントローラ１１０により制御される複数の個々に制御可能な照明器具１７５は、システム１００の或る実施の形態では、固定された位置に取り付けられた１つ又はそれ以上の照明器具を含んでおり、照明ネットワーク１７０を介して照明コントローラとやりとりすることができる。照明ネットワーク１７０は、例えば、専用ハードウェア通信リンクを含んでいる。或る他の実施の形態では、個々に制御可能な照明器具が、他のタイプの通信リンク、例えば、イーサネット（登録商標）又は無線ネットワーク接続を含む照明ネットワークによってやりとりする１つ又はそれ以上のアドレス可能な照明器具を含んでいる。照明コントローラと個々に制御可能な照明器具とのやりとりは、照明コントローラから照明器具に送られるコマンドを含んでいる。これらのコマンドは、照明器具１７５の１つまたそれ以上が、例えば、オンになる、オフになる、強度を低減若しくは増大する、又は照明器具の照明のスペクトルパワー分布を変化させるようにする。
【００２９】
「照明器具」という用語は、本明細書では、特定のフォームファクタ、アセンブリ又はパッケージにおける１つ又はそれ以上の照明ユニットの実現又は配置について言及するために用いられる。「照明ユニット」という用語は、本明細書では、同じタイプ又は異なるタイプの１つ又はそれ以上の光源を含む装置について言及するために用いられる。ある照明ユニットは、光源、筐体／ハウジングの機構の形状及び／又は電気的及び機械的接続の構成のために種々の取り付け機構のうちの任意の１つを有している。また、ある照明ユニットは、オプションで、光源の動作に関連する様々な他の構成要素（例えば、制御回路）と関係がある（例えば、それを含んでいる、それに結合されている及び／又はそれとともにパッケージされている。）。「ＬＥＤを使用した照明ユニット」は、単独の又は他のＬＥＤを使用していない光源と組み合わせた上述したような１つ又はそれ以上のＬＥＤを使用した光源を含む照明ユニットのことを意味する。
【００３０】
「光源」という用語は、ＬＥＤを使用したソース、白熱源（例えば、フィラメントランプ、ハロゲンランプ）、蛍光源、リン光源、高輝度放電源（例えば、ナトリウム、水銀及びメタルハライドランプ）、レーザ、他のタイプのエレクトロルミネセンス源、熱ルミネセンス源（例えば、炎）、キャンドルルミネセンス源（candle-luminescent source）（例えば、ガスマントル、カーボンアーク放射源）、フォトルミネセンス源（例えば、ガス放電源）、電子飽和を用いるカソードルミネセンス源、ガルバノルミネセンス源、クリスタロルミネセンス源、キネルミネセンス源（kine-lumincescent source）、熱ルミネセンス源、トリボルミネセンス源、ソノルミネセンス源、放射ルミネセンス源（radio luminescent source）及び発光ポリマを含むが、これらに限定されない種々の放射源の任意の１つ又はそれ以上を意味すると理解されたい。
【００３１】
本開示の目的のために本明細書において用いられる場合、「ＬＥＤ」という用語は、任意のエレクトロルミネセンスダイオード又は電気信号に応じて放射を生成することができる他のタイプのキャリア注入／接合型のシステムを含むことを理解されたい。従って、ＬＥＤという用語は、電流に応じて光を発する種々の半導体を使用した構造体、発光ポリマ、有機発光ダイオード（ＯＬＥＤ）、エレクトロルミネセンスストリップ等を含むが、これらに限定されない。特に、ＬＥＤという用語は、赤外線スペクトル、紫外線スペクトル及び（一般に、約４００ナノメートルから約７００ナノメートルまでの放射波長を含む）可視スペクトルの種々の部分の１つ又はそれ以上において放射を生成するように構成され得る（半導体及び有機発光ダイオードを含む）全てのタイプの発光ダイオードのことを意味する。ＬＥＤの幾つかの例は、赤外ＬＥＤ、紫外ＬＥＤ、赤色ＬＥＤ、青色ＬＥＤ、緑色ＬＥＤ、黄色ＬＥＤ、琥珀色ＬＥＤ、橙色ＬＥＤ及び白色ＬＥＤを含むが、これらに限定されない（以下に、更に述べられる。）。ＬＥＤは、あるスペクトル（例えば、狭帯域幅、広帯域幅）に対して種々の帯域幅（例えば、半値全幅、すなわちＦＷＨＭ）及びある一般的な色分類（色のカテゴリー化）内の種々の主波長を持つ放射を生成するように構成及び／又は制御され得ることも理解されたい。
【００３２】
例えば、本質的に白色の光を生成するように構成されたＬＥＤ（例えば、白色ＬＥＤ）の１つの実現は、本質的に白色の光を形成するために組み合わせて混合するエレクトロルミネセンスの異なるスペクトルをそれぞれ発する幾つかのダイを含んでいる。他の実現では、白色光ＬＥＤは、第１のスペクトルを持つエレクトロルミネセンスを異なる第２のスペクトルに変換する蛍光材料に関連している。この実現の一例では、かなり短波長であり、狭帯域幅のスペクトルを持つエレクトロルミネセンスが蛍光材料を「ポンピング」し、該蛍光材料は、その結果として幾らかより広い帯域幅のスペクトルを持つより長い波長の放射を放つ。
【００３３】
ＬＥＤという用語は、ＬＥＤの物理的及び／又は電気的なパッケージのタイプを限定するものではないことも理解されたい。例えば、上述したように、ＬＥＤは、異なるスペクトルの放射をそれぞれ発するように構成された複数のダイ（例えば、個々に制御可能である又はそうではない。）を有する単一の発光デバイスを指す場合がある。また、ＬＥＤは、当該ＬＥＤ（例えば、幾つかのタイプの白色ＬＥＤ）の一体部分とみなされる蛍光体と関連し得る。一般に、ＬＥＤという用語は、パッケージ化されたＬＥＤ、パッケージ化されていないＬＥＤ、表面実装型ＬＥＤ、チップオンボード型ＬＥＤ、Ｔパッケージ実装型ＬＥＤ、放射パッケージ型ＬＥＤ、電力パッケージ型ＬＥＤ、何らかのタイプのケース（encasement）及び／又は光学素子（例えば、拡散レンズ）を含むＬＥＤ等を指す。
【００３４】
ある照明器具は、可視スペクトル内、可視スペクトル外又は両方の組み合わせで電磁放射を生成するように構成され得る。従って、「光」及び「放射」という用語は、本明細書では区別なく用いられる。更に、照明器具は、一体化している構成要素として、１つ若しくはそれ以上のフィルタ（例えば、カラーフィルタ）、レンズ又は他の光学部品を含んでいてもよい。また、照明器具は、指示、表示及び／又は照明を含むが、これらに限定されない種々の用途のために構成され得ることを理解されたい。「照明源」は、特に室内又は室外空間を効果的に照明するために十分な輝度を有する放射を生成するように構成された光源である。これに関連して、「十分な輝度」とは、周囲照明（すなわち、間接的に知覚され、例えば、全体として又は部分的に知覚される前に種々の介在する表面の１つ又はそれ以上から反射され得る光）を与えるために上記空間又は環境において生成される可視スペクトルでの十分な放射パワー(放射パワー又は「光束」については、全方向の光源からの合計の光出力を表すために「ルーメン」の単位が使用されることが多い。)を意味している。
【００３５】
「スペクトル」という用語は、１つ又はそれ以上の照明器具により生成される放射の任意の１つ又はそれ以上の周波数（又は波長）を意味すると理解されたい。従って、「スペクトル」という用語は、可視範囲における周波数（又は波長）だけではなく、赤外、紫外及び電磁スペクトル全体の他の領域における周波数（又は波長）も意味する。また、あるスペクトルは、相対的に狭い帯域幅（例えば、本質的に僅かな周波数又は波長成分しか有さないＦＷＨＭ）又は相対的に広い帯域幅（種々の相対強度を持つ幾つかの周波数又は波長成分）を有し得る。あるスペクトルは、２つ又はそれ以上の他のスペクトルの混合（例えば、複数の光源からそれぞれ発せられる放射の混合）の結果である得ることも理解されたい。「スペクトルパワー分布」という用語は、照明の単位波長当たりの単位面積当たりのパワー又は任意の放射量に対する１波当たりの寄与（例えば、放射エネルギー、放射束、放射強度、放射輝度、放射照度、放射発散度又はラジオシティ）を意味することを理解されたい。
【００３６】
本開示の目的のために、「色」という用語は、「スペクトル」という用語と区別なく用いられる。しかしながら、「色」という用語は、一般には、主に見る人により知覚可能である放射の特性のことを言うために用いられる（しかし、この使われ方はこの用語の範囲を限定するように意図されてはいない。）。従って、「異なる色」という用語は、異なる波長成分及び／又は帯域幅を持つ複数のスペクトルを暗黙的に意味する。「色」という用語は、白色光及び非白色光の両方に関連して用いられ得ることも理解されたい。
【００３７】
図１Ａに示されているように、光を使用したシステム１００では、プロセッサ１２０は、リンク１０１を介して照明コントローラ１１０から第１の位置識別子を示す第１の信号及び第１の局所光の設定を示す第２の信号を受け取る。上記プロセッサは、その後、第２の信号から第１の局所光の設定を決定し、リンク１０２を介してメモリ１３０から第１の局所光の設定と相関関係がある第２の局所光の設定に関連する少なくとも１つの第２の位置識別子を受け取る。
【００３８】
本明細書において用いられる「プロセッサ」という用語は、情報を操作することができるコンピュータの中央処理装置のような演算命令及び論理命令を処理する任意の回路を意味する。プロセッサ１２０の具体例は、通常のマイクロプロセッサ、特定用途向け集積回路（ＡＳＩＣ）及びフィールドプログラマブルゲートアレイ（ＦＰＧＡ）であるが、これらに限定されない。
【００３９】
光を使用したシステム１００のメモリ１３０は、少なくとも第１の位置識別子を第１の局所光の設定と関連付ける。メモリ１３０及びメモリ１６０の具体例は、種々のタイプの記憶媒体、例えば、ＲＡＭ、ＰＲＯＭ、ＥＰＲＯＭ及びＥＥＰＲＯＭのような揮発性及び不揮発性コンピュータメモリ、フロッピー（登録商標）ディスク、コンパクトディスク、光ディスク並びに磁気テープを含んでいる。幾つかの実現では、上記記憶媒体は、プロセッサ上で実行されることができる１つ又はそれ以上のプログラムによりコード化される。種々の記憶媒体は、本明細書において説明される本発明の種々の観点を実現するために該記憶媒体に記憶された１つ又はそれ以上のプログラムがプロセッサにロードされ得るように移送可能である。本明細書において用いられる「プログラム」又は「コンピュータプログラム」という用語は、１つ又はそれ以上のプロセッサをプログラムするために使用され得る任意のタイプのコンピュータコード（例えば、ソフトウェア又はマイクロコード）を意味するために本明細書において汎用的意味で用いられる。
【００４０】
光を使用したシステム１００の通信ネットワーク１４０は、情報をやりとりするために光を使用したシステム１００の種々の構成要素により用いられるネットワークである。この通信ネットワークは、リンク１０３を介してプロセッサ１２０から少なくとも１つの第２の位置識別子を受け取る。図１Ａに示されているように、通信ネットワークは、また、リンク１０４を介して光を使用した接続の可能性を示す第３の信号を送る。通信ネットワーク１４０の具体例は、例えば、有線ネットワーク、無線ネットワーク又は様々な有線及び無線ネットワークの組み合わせを含んでいる。更に、通信ネットワークは、様々な技術、例えば、赤外線通信、光ファイバ通信又はコンピュータネットワーキング技術、例えばイーサネット（登録商標）技術を含んでいる。通信ネットワークは、また、ローカルエリアネットワーク（ＬＡＮ）又は無線ローカルエリアネットワーク（ＷＬＡＮ）も含んでいる。例えば、通信ネットワークは、照明コントローラと照明コントローラによって制御される１つ又はそれ以上の個々に制御可能な照明器具との間の専用配線通信技術と組み合わされたプロセッサ１２０と照明コントローラ１５０との間の無線コンピュータ通信技術を含んでいる。
【００４１】
本明細書において用いられる「ネットワーク」という用語は、ネットワークに結合された任意の２つ又はそれ以上のデバイスの間及び／又は複数のデバイス間の（例えば、デバイスの制御、データの記憶、データの交換等のための）情報の輸送を容易にする（照明コントローラ又はプロセッサを含む）２つ又はそれ以上のデバイスの任意の相互接続を意味する。容易に理解されるように、複数のデバイスを相互接続するのに適したネットワークの種々の実現は、種々のネットワークトポロジのいずれかを含み、種々の通信プロトコルのいずれかを使用する。また、本開示に係る種々のネットワークでは、２つのデバイス間のいずれか１つの接続は、２つの系の間の専用接続を表すか、又は代替として、非専用接続を表す。２つのデバイスのための情報を伝えることに加えて、そのような非専用接続は、必ずしも２つのデバイスのいずれのためでもない情報を伝える（例えば、オープンネットワーク接続）。更に、本明細書において述べられるようなデバイスの種々のネットワークが、ネットワーク全体にわたる情報の輸送を容易にするために、１つ又はそれ以上の無線、有線／ケーブル及び／又は光ファイバリンクを使用し得ることは容易に理解されるべきである。
【００４２】
光を使用したシステム１００に係る照明コントローラ１５０は、少なくとも１つの第２の位置識別子に関連する位置に近い個々に制御可能な照明器具１８５をリンク１０７を介して制御する。照明コントローラ１５０は、リンク１０４を介して通信ネットワーク１４０から光を使用した接続の可能性を示す第３の信号を受け取る。上記照明コントローラは、その後、それに応じて上記通信ネットワークを介して光を使用した接続の確立に対する関心を示す第４の信号を送る。上記照明コントローラは、照明コントローラ１１０に関して述べられた任意のタイプの照明コントローラであり得る。上記プロセッサは、リンク１０３を介して通信ネットワーク１４０から光を使用した接続の確立に対する関心を示す第４の信号を受け取る。このプロセッサは、その後、リンク１０５を介して第１の位置識別子と少なくとも１つの第２の位置識別子とのメモリ１６０内における関連付けをもたらす。
【００４３】
本発明の或る実施の形態によれば、システム１００は、局所光の設定を照明コントローラ１１０に伝達する第１のユーザインターフェースと、局所光の設定を照明コントローラ１５０に伝達する第２のユーザインターフェースとを特徴としている。本明細書において用いられる「ユーザインターフェース」という用語は、ユーザとデバイスとの間の通信を可能にする人間のユーザ又はオペレータと１つ又はそれ以上のデバイスとのインターフェースを意味する。本開示の種々の実現に使用されるユーザインターフェースの例は、スイッチ、ポテンショメータ、ボタン、ダイアル、スライダ、マウス、キーボード、キーパッド、種々のタイプのゲームコントローラ（例えば、ジョイスティック）、トラックボール、表示スクリーン、種々のタイプのグラフィカルユーザインターフェース（ＧＵＩ）、タッチスクリーン、マイクロフォン及び何らかの形の人間が生み出す刺激を受け、それに応じて信号を生成する他のタイプのセンサを含んでいるが、これらに限定されない。
【００４４】
システム１００を含む本発明の他の実施の形態では、第１の局所光の設定と第２の局所光の設定との相関関係は、第１の局所光の設定に関連する第１の色度と第２の局所光の設定に関連する第２の色度との差に基づいている。第１の局所光の設定と第２の局所光の設定との相関関係は、また、第１の局所光の設定に関連する第１の輝度と第２の局所光の設定に関連する第２の輝度との差に基づいていてもよい。
【００４５】
システム１００を含む本発明の更に他の実施の形態では、第１の位置識別子と少なくとも１つの第２の位置識別子との関連付けは、第１の局所光の設定と第２の局所光の設定との相関関係が、せいぜい第１の局所光の設定に関連する第１の色度と第２の局所光の設定に関連する第２の色度との既存の又は所定の閾値の差である場合になされる。上記関連付けは、また、第１の局所光の設定と第２の局所光の設定との相関関係が、せいぜい第１の局所光の設定に関連する第１の輝度と第２の局所光の設定に関連する第２の輝度との既存の又は所定の閾値の差である場合にもなされる。更に、第１の局所光の設定と第２の局所光の設定との相関関係に関連する上記閾値は、調節可能である。
【００４６】
システム１００の或る実施の形態によれば、光を使用した接続の可能性を示す第３の信号は、第２の局所光の設定に関連する輝度の増加を示す信号を有している。また、光を使用した接続の確立に対する関心を示す第４の信号は、第１の局所光の設定に関連する輝度の増加を示す信号を有している。
【００４７】
システム１００の他の実施の形態では、プロセッサ１２０が第１の位置識別子と第２の位置識別子とのメモリ１６０内における関連付けをもたらした後、通信ネットワーク１４０は、第３の局所光の設定を示す第５の信号を照明コントローラ１１０から受け取る。或る実施の形態では、メモリ１６０が既に第１の位置識別子と第２の位置識別子との関連付けを含んでいることを決定すると、通信ネットワーク１４０は上記第５の信号を照明コントローラ１５０に送る。従って、可能性のある光を使用した接続を識別するために個々に利用するシステム１００は、一度必要な光を使用した接続が記録されると、そのような識別した接続とのやりとりを行う。システム１００の或る実施の形態では、第３の局所光の設定は、選択された色及び輝度を指定する光の設定を有している。他の実施の形態では、第３の局所光の設定は、色及び関連する輝度の選択された順序を指定する光の設定を有している。更に他の実施の形態では、第３の局所光の設定は、アルファベットの文字、数字、単語又は語句を有する通信要素を表す。
【００４８】
システム１００の或る実施の形態によれば、プロセッサ１２０が第１の位置識別子と第２の位置識別子とのメモリ１６０内における関連付けをもたらした後、通信ネットワーク１４０は、追加の信号を照明コントローラ１１０から受け取る。或る実施の形態によれば、上記追加の信号は、テキスト文字、静止画像、手掛かり（scent）、ビデオファイル及びオーディオファイルを有するデータを示す。また、メモリ１６０が既に第１の位置識別子と第２の位置識別子との関連付けを含んでいることを決定すると、プロセッサは上記追加の信号を照明コントローラ１５０に送る。
【００４９】
図１Ｂは、可能性のある光を使用した接続の発見に関わるシステム１００の実施の形態の観点を示している。図１Ｂに示されているように、第１のメモリは、第１の局所光の設定と相関関係がある第２の局所光の設定に関連する少なくとも１つの第２の位置識別子に必要とされる（１１００）。所定の又は既存の相関関係の基準は、第２の局所光の設定が第１の局所光の設定と相関関係があるかどうかを決定するために用いられる。必要とされる上記第１のメモリは、メモリ１３０であり得る。第１のメモリのクエリが、第２の局所光の設定に関連し、第１の局所光の設定と相関関係がある第２の位置識別子を識別できない場合、可能性のある光を使用した接続は発見されておらず、所定の相関関係の基準が緩和される（１２００）。逆に、第１のメモリのクエリが少なくとも１つの第２の位置識別子を識別する結果になった場合には、第２のメモリが少なくとも１つの第２の位置識別子を含んでいるかどうかを決定するために、第２のメモリが問い合わせられる（１３００）。問い合わせられる上記第２のメモリは、メモリ１６０であり得る。第２のメモリのクエリが、第２のメモリは少なくとも１つの第２の位置識別子を含んでいないことを指示する結果になった場合、可能性のある光を使用した接続が存在することが分かり、少なくとも１つの第２の位置識別子はプロセッサ１２０により送られる（１４００）。逆に、第２のメモリのクエリが、少なくとも１つの第２の位置識別子が既に第２のメモリに存在することを指示する結果になった場合には、このクエリは中止され、第１のメモリが、第１の局所光の設定と相関関係がある次の第２の局所光の設定に関連する少なくとも１つの次の第２の位置識別子について再度問い合わせられる（１１００）。
【００５０】
図２は、本発明の或る実施の形態に係るソーシャルコネクションを形成する光を使用したシステム２００を示している。システム２００は、照明コントローラ２１０、プロセッサ２２０、メモリ２３０、通信ネットワーク２４０及びメモリ２５０を含んでいる。
【００５１】
光を使用したシステム２００に係る照明コントローラ２１０は、照明ネットワーク内の複数の個々に制御可能な照明器具を制御し、リンク２０１を介して第１の位置識別子を示す第１の信号及びした第１の局所光の設定を示す第２の信号を送る。上記第１の局所光の設定は、第１の位置識別子に関連する光の設定である。照明コントローラ２１０は、図１Ａの照明コントローラ１１０に関して述べられた任意のタイプの照明コントローラであり得る。
【００５２】
光を使用したシステム２００のメモリ２３０は、少なくとも第１の位置識別子を第１の局所光の設定と関連付ける。メモリ２３０は、図１Ａのメモリ１３０に関して述べられた任意のタイプのメモリであり得る。
【００５３】
光を使用したシステム２００のプロセッサ２２０は、照明コントローラ２１０から受け取った第２の信号から第１の局所光の設定を決定する。プロセッサ２２０は、また、リンク２０２を介してメモリ２３０から第１の局所光の設定と相関関係がある第２の局所光の設定に関連する少なくとも１つの第２の位置識別子を受け取る。プロセッサ２２０は、図１Ａのプロセッサ１２０に関して述べられた任意のタイプのプロセッサであり得る。
【００５４】
図２に示されているように、通信ネットワーク２４０は、リンク２０３を介してプロセッサ２２０から少なくとも１つの第２の位置識別子を受け取る。通信ネットワーク２４０は、また、リンク２０４を介して光を使用した接続の可能性を示す第３の信号を送る。通信ネットワーク２４０は、図１Ａの通信ネットワーク１４０に関して述べられた任意のタイプの通信ネットワークであり得る。
【００５５】
光を使用したシステム２００の照明コントローラ２１０は、リンク２０４を介して
光を使用した接続の可能性を示す第３の信号を受け取り、それに応じてリンク２０１を介して光を使用した接続の確立に対する関心を示す第４の信号を送る。プロセッサ２２０は、照明コントローラ２１０から上記第４の信号を受け取り、リンク２０５を介してメモリ内における第１の位置識別子と少なくとも１つの第２の位置識別子との関連付けをもたらす。
【００５６】
光を使用したシステム２００の或る実施の形態によれば、システム２００は、更に、光の設定を照明コントローラ２１０に伝達する少なくとも１つの第１のユーザインターフェース及び少なくとも１つの第２のユーザインターフェースを含んでいる。上記第１及び第２のユーザインターフェースは、図２には示されておらず、図１Ａの光を使用したシステム１００に関して述べられた任意のタイプのユーザインターフェースであり得る。
【００５７】
光を使用したシステム２００の種々の実施の形態において、プロセッサ２２０がメモリ２５０内における第１の位置識別子と第２の位置識別子との関連付けをもたらした後、照明コントローラ２１０は、第１の位置識別子を示す信号と第１の位置識別子に関連する第３の局所光の設定を示す他の信号とを送る。メモリ２５０が上記第１の位置識別子と少なくとも１つの第２の位置識別子との関連付けを含んでいることを決定すると、並びに第１の位置識別子及び第３の局所光の設定を示す信号を受け取ると、照明コントローラ２１０は、少なくとも１つの第２の位置識別子に関連する位置において図示されていない複数の個々に制御可能な照明器具を制御する。上記照明コントローラは、照明器具が第３の局所光の設定に係る周囲照明をもたらすように少なくとも１つの第２の位置識別子に関連する位置に近い複数の個々に制御可能な照明器具を制御する。上記個々に制御可能な照明器具は、図１Ａの光を使用したシステム１００に関して述べられた任意のタイプの個々に制御可能な照明器具であり得る。
【００５８】
光を使用したシステム２００の或る他の実施の形態によれば、プロセッサ２２０がメモリ２５０内における第１の位置識別子と第２の位置識別子との関連付けをもたらした後、照明コントローラ２１０は、第１の位置識別子を示す信号及びデータを示す他の信号とを送る。上記データは、以下の少なくとも１つ、すなわち、テキスト文字、静止画像、手掛かり、ビデオファイル及びオーディオファイルのうちの少なくとも１つを有している。メモリ２５０が第１の位置識別子と少なくとも１つの第２の位置識別子との関連付けを含んでいることを決定すると、照明コントローラは、その後、少なくとも１つの第２の位置識別子を示す信号及びデータを示す他の信号を受け取る。
【００５９】
図３は、本発明の種々の実施の形態に係るソーシャルコネクションを形成する光を使用したシステム３００を示している。システム３００は、照明コントローラ３１０、プロセッサ３２０、通信ネットワーク３３０、メモリ３４０、照明コントローラ３５０、メモリ３６０、１つ又はそれ以上の個々に制御可能な照明器具３７０−１、ユーザインターフェース３７０−３、１つ又はそれ以上の個々に制御可能な照明器具３６０−１及びユーザインターフェース３６０−３を含んでいる。
【００６０】
照明コントローラ３１０は、照明ネットワーク内の１つ又はそれ以上の個々に制御可能な照明器具３７０−１を制御する。照明器具３７０−１の近くに位置するユーザ３７０−２は、ユーザインターフェース３７０−３とやりとりすることにより第１の局所光の設定を指定する。ユーザ３７０−２は、リンク３１１を介してユーザインターフェース３７０−３とやりとりする。照明コントローラ３１０は、リンク３１２を介して第１の局所光の設定を受け取り、次いで、照明器具３７０−１が第１の局所光の設定に従って周囲照明をもたらすように照明器具３７０−１の制御を行う。照明コントローラ３１０は、また、リンク３０１を介して第１の位置識別子を示す第１の信号及び第１の局所光の設定を示す第２の信号を送る。照明コントローラ３１０は、図１Ａの照明コントローラ１１０に関して述べられた任意のタイプの照明コントローラであり得る。
【００６１】
プロセッサ３２０は、リンク３０１を介して照明コントローラ３１０から第１の信号及び第２の信号を受け取り、第２の信号から第１の局所光の設定を決定するとともに、リンク３０８を介してメモリ３４０から第１の局所光の設定と相関関係がある第２の局所光の設定に関連する少なくとも１つの第２の位置識別子を受け取る。プロセッサ３２０は、図１Ａのプロセッサ１２０に関して述べられた任意のタイプのプロセッサであり得る。
【００６２】
メモリ３４０は、少なくとも第１の位置識別子を第１の局所光の設定と関連付ける。メモリ３４０は、図１Ａのメモリ１３０に関して述べられた任意のタイプのメモリであり得る。通信ネットワーク３３０は、リンク３０２を介してプロセッサ３２０から少なくとも１つの第２の位置識別子を受け取り、光を使用した接続の可能性を示す第３の信号を送る。通信ネットワーク３３０は、図１Ａの通信ネットワーク１４０に関して述べられた任意のタイプの通信ネットワークであり得る。
【００６３】
照明コントローラ３５０は、少なくとも１つの第２の位置識別子に関連する位置において、リンク３０４を介して通信ネットワーク３３０から光を使用した接続の可能性を示す第３の信号を受け取る。システム３００の或る実施の形態では、上記第３の信号は、第２の局所光の設定に関連する輝度の増加を示す信号を有している。そのような実施の形態では、照明コントローラ３５０は、第３の信号により特定される輝度の増加が少なくとも１つの第２の位置識別子により特定される位置において周囲照明に反映されるように少なくとも１つの第２の位置識別子により特定される位置に近い個々に制御可能な照明器具３６０−１を制御する。少なくとも１つの第２の位置識別子により特定される位置において周囲照明の輝度の増加を感知し、これを光を使用したソーシャルコネクションを形成しようという試みであると認識するユーザ３６０−２は、それに応じて、第２の局所光の設定を変化させる。その後、照明コントローラ３５０は、それに応じて、通信ネットワーク３３０を介して光を使用した接続の確立に対する関心を示す第４の信号を送る。その後、リンク３０２を介して第４の信号を受け取ったプロセッサ３２０は、リンク３０３を介してメモリ３６０における第１の位置識別子と少なくとも１つの第２の位置識別子との関連付けをもたらす。照明コントローラ３５０は、図１Ａの照明コントローラ１１０に関して述べられた任意のタイプの照明コントローラであり得る。
【００６４】
図４は、本発明の多くの実施の形態に係るソーシャルコネクションを形成する光を使用したシステム４００を示している。システム４００は、位置特定システム４１０、識別システム４２０、視覚化インフラストラクチャ４３０、視覚化コントローラ４４０、メモリ４５０及び視覚化アクチュエータ４６０を含んでいる。
【００６５】
位置特定システム４１０は、ユーザ４８０に関連する位置及び向きを決定し、リンク４０１を介してユーザ４８０の位置及び向きを示す第１の信号を送る。この位置特定システムは、センサ、ＲＦＩＤタグ、ＧＰＳ技術及び三角測量を含むユーザの位置を決定する種々の技術を使用する。この位置特定システムは、また、ジャイロスコープに関連する技術を含むユーザの向きを決定する種々の技術を使用する。
【００６６】
位置特定システム４１０は、本明細書において述べられる種々の機能を実行するために（例えば、専用ハードウェア、ソフトウェア又はハードウェアとソフトウェアとの組み合わせとともになどの）さまざまなやり方で実現され得る。この位置特定システムは、プロセッサを使用して又は使用することなく実現され、また、幾つかの機能を果たす専用ハードウェアと他の機能を果たすプロセッサとの組み合わせ（例えば、１つ又はそれ以上のプログラムされたマイクロプロセッサ及び関連回路）としても実現され得る。上記位置特定システムは、また、特定の機能を果たし、当該位置特定システムの内部で及び外部の要素（entity）と情報をやりとりするように設計された複数のモジュールを用いても実現され得る。
【００６７】
識別システム４２０は、ユーザ４８０に関連するユーザ識別子を決定し、リンク４０２を介してユーザ識別子を示す第２の信号を送る。或る実施の形態によれば、識別システム４２０は、ユーザ４８０の固有の特徴を認識する技術を利用すること及び固有の特徴に関連するユーザ識別子に関してメモリを調べることによりユーザ４８０に関連するユーザ識別子を決定する。固有の特徴を認識する技術は、顔認識を含んでいる。
【００６８】
識別システム４２０は、本明細書において述べられる種々の機能を実行するために（例えば、専用ハードウェア、ソフトウェア又はハードウェアとソフトウェアとの組み合わせとともになどの）さまざまなやり方で実現され得る。この識別システムは、プロセッサを使用して又は使用することなく実現され、また、幾つかの機能を果たす専用ハードウェアと他の機能を果たすプロセッサとの組み合わせ（例えば、１つ又はそれ以上のプログラムされたマイクロプロセッサ及び関連回路）としても実現され得る。上記識別システムは、また、特定の機能を果たし、当該識別システム４２０の内部で及び外部の要素と情報をやりとりするように設計された複数のモジュールを用いても実現され得る。
【００６９】
メモリ４５０は、少なくともユーザ識別子を１つ又はそれ以上のユーザデータ４５２と関連付ける。メモリ４５０は、図１Ａのメモリ１３０に関して述べられた任意のタイプのメモリであり得る。
【００７０】
視覚化コントローラ４４０は、ユーザ４８０の位置及び向きを示す第１の信号と、ユーザ識別子を示す第２の信号とを受け取る。視覚化コントローラ４４０は、その後、リンク４０３を介してメモリ４５０からユーザ４８０のユーザ識別子に関連する１つ又はそれ以上のユーザデータを取り出す。多くの実施の形態によれば、視覚化コントローラ４４０は、また、１つ又はそれ以上のユーザデータ及び以下の１つ又はそれ以上、すなわち、ユーザの位置及びユーザの向きの１つ又はそれ以上を有する組み合わせに基づいてオーラ作成コマンドを生成する。或る実施の形態によれば、１つ又はそれ以上のユーザデータは、以下の１つ又はそれ以上、すなわち、ユーザの最近の経験、ユーザの今後の計画及びユーザの個人的な興味の１つ又はそれ以上を含んでいる。
【００７１】
視覚化コントローラ４４０は、リンク４０５を介してオーラ４７０を視覚的に表示するユーザ４８０に近い１つ又はそれ以上の視覚化アクチュエータ４６０を制御する視覚化インフラストラクチャ４３０に、リンク４０４を介してオーラ作成コマンドを送る。種々の実施の形態では、上記視覚化インフラストラクチャは、視覚化インフラストラクチャ４３０の能力に関する情報をリンク４０４を介して視覚化コントローラ４４０に与える。視覚化コントローラ４４０は、視覚化インフラストラクチャ４３０の能力を考慮に入れたオーラ作成コマンドを生成するために上記視覚化インフラストラクチャ４３０の能力に関する情報を用いる。例えば、視覚化インフラストラクチャがそのようなデータを表示する能力を持っている場合に、視覚化コントローラはビデオデータの形でユーザデータを利用するオーラ作成コマンドを生成する。多くの実施の形態によれば、オーラ４７０は、ユーザ４８０に関連する少なくとも１つ又はそれ以上のユーザデータを有している。或る実施の形態によれば、オーラ４７０は、光のパターン、順序又は色を有する。上記光のパターン、順序又は色は、ソーシャルコネクションの形成に対する関心及び特別な活動に参加することに対する関心の程度のような意味を追加として伝える。種々の実施の形態によれば、システム４００は、更に、ある意味をオーラ４７０で示される光のパターン、順序又は色と関連付け、そのような光のパターン、順序又は色と関連付けられた上記意味を検索するユーザインターフェースを有している。例えば、ユーザは、他のユーザに対して最も近くで表示されるオーラに関連するある意味を検索するためにシステム４００のユーザインターフェースを利用する。
【００７２】
視覚化コントローラ４４０は、本明細書において説明される種々の機能を実行するために（例えば、専用ハードウェア、ソフトウェア又はハードウェアとソフトウェアとの組み合わせとともになどの）さまざまなやり方で実現され得る。「プロセッサ」は、本明細書において説明される種々の機能を実行するためにソフトウェア（例えば、マイクロコード）を用いてプログラムされ得る１つ又はそれ以上のマイクロプロセッサを使用する視覚化コントローラの一例である。この視覚化コントローラは、プロセッサを使用して又は使用することなく実現され、また、幾つかの機能を果たす専用ハードウェアと他の機能を果たすプロセッサとの組み合わせ（例えば、１つ又はそれ以上のプログラムされたマイクロプロセッサ及び関連回路）としても実現され得る。視覚化コントローラ４４０は、また、特定の機能を果たし、当該視覚化コントローラ４４０の内部で及び外部の要素と情報をやりとりするように設計された複数のモジュールを用いても実現され得る。
【００７３】
システム４００の或る実施の形態によれば、視覚化インフラストラクチャ４３０は、更に、オーラ４７０を表示するために１つ又はそれ以上の感覚アクチュエータ４６５を制御する。上記感覚アクチュエータは、聴覚アクチュエータ及び嗅覚アクチュエータを含んでいる。
【００７４】
システム４００の他の実施の形態によれば、メモリ４５０から取り出される１つ又はそれ以上のユーザデータ４５２は、第１のデータ項目４５４及び第２のデータ項目４５６を有している。第１のデータ項目は第２のデータ項目よりも高い関連性の信用度（rating）を割り当てられ、視覚化インフラストラクチャ４３０は、第１のデータ項目が第２のデータ項目よりもオーラ４７０に中央に表示されるように視覚化アクチュエータ４６０を制御する。
【００７５】
システム４００の他の実施の形態によれば、メモリ４５０から取り出される１つ又はそれ以上のユーザデータ４５２は、時間データを含むメタデータと更に関連している。ユーザ４８０に関連する１つ又はそれ以上のユーザデータ４５２は、また、少なくとも第１のメタデータに関連する第１のデータ項目及び第２のメタデータに関連する第２のデータ項目も有している。第１のメタデータ及び第２のメタデータは、第１のデータ項目が第２のデータ項目よりも最近のデータであることを一緒に示す。視覚化コントローラ４４０は、或る実施の形態では、オーラ４７０が第２のデータ項目よりも第１のデータ項目を強調するように更に第１及び第２のメタデータを利用することによりリンク４０４を介して送られるオーラ作成コマンドを生成する。
【００７６】
システム４００の種々の実施の形態では、視覚化アクチュエータ４６０は、照明ネットワーク内の個々に制御可能な照明器具、ディスプレイ、プロジェクタ及びピクセルで構成されたライトタイルを有している。システム４００の或る実施の形態によれば、視覚化アクチュエータは、また、ユーザ４８０により着用される電子ファブリック等の表面に存在する。
【００７７】
システム４００の或る実施の形態によれば、オーラ４７０は、以下の、すなわち、単色光、多色光のパターン、画像及び映像の少なくとも１つを有している。システム４００の或る他の実施の形態では、視覚化コントローラ４４０は、オーラパワーオフコマンドを生成し、送る。視覚化インフラストラクチャ４３０は、このオーラパワーオフコマンドを受け取り、オーラ４７０が見えなくなるようにユーザ４８０に近い視覚化アクチュエータ４６０を制御する。
【００７８】
本発明の或る他の実施の形態によれば、システム４００は、ユーザ４８０に近い図示しない電子モバイルデバイスを含んでいる。この電子モバイルデバイスは、それ自身のデバイス識別子を示す信号を送るとともに、当該電子モバイルデバイスの位置及び向きを示す他の信号を送る。位置特定システム４１０は、上記電子モバイルデバイスの位置及び向きを示す信号を受け取り、電子モバイルデバイスの位置及び向きを決定する。上記位置特定システムは、また、電子モバイルデバイスの位置及び向きに基づいてユーザの位置及び向きを決定することもできる。識別システム４２０は、デバイスの識別子を示す信号を受け取り、電子モバイルデバイスのデバイス識別子を決定するとともに、このデバイス識別子に基づいてユーザ４８０のユーザ識別子を決定する。
【００７９】
本発明の種々の実施の形態によれば、システム４００は、更に、メモリ４５０内の情報を修正する、メモリ４５０に情報を追加する又はメモリ４５０から情報を削除する１つ又はそれ以上のユーザインターフェース４８２を有している。修正、追加又は削除される情報は、ユーザデータ、ユーザ識別子、ユーザデータとユーザ識別子との関連付け及びユーザデータを表示する許可を含んでいる。上記ユーザデータを表示する許可は、１つ又はそれ以上の設定可能な表示ポリシとメモリ４５０内の１つ又はそれ以上のユーザデータとの少なくとも１つの関連付けを有している。上記１つ又はそれ以上の設定可能な表示ポリシは、１つ又はそれ以上のユーザデータがオーラ４７０の一部として表示され得る状況を制御する。
【００８０】
システム４００の或る実施の形態によれば、視覚化コントローラ４４０は、更にユーザ４８０に関連する１つ又はそれ以上のユーザデータを表示することの適切性の自動決定に基づいて、オーラ作成コマンドを生成する。上記自動決定は、１つ又はそれ以上のユーザデータが該１つ又はそれ以上のユーザデータの表示を制限する表示ポリシに関連しているかどうか決定することを有している。例えば、表示ポリシがあるタイプの位置においてあるユーザデータの表示を制限する場合、オーラ作成コマンドは、制限されたユーザデータがオーラを作成する際に用いられるべきではないという自動決定に基づいて生成される。
【００８１】
システム４００の或る他の実施の形態によれば、ユーザ４８０は追跡される。追跡は、位置特定システム４１０がユーザの最新の位置及び最新の向きを定期的に決定し、このユーザの最新の位置及び最新の向きを示す信号を定期的に送ることを含んでいる。追跡は、また、視覚化コントローラ４４０がユーザ４８０の最新の位置及び最新の向きを示す信号を受け取り、更に上記ユーザの最新の位置及び最新の向きに基づいて最新のオーラ作成コマンドを定期的に生成することを含んでいる。
【００８２】
図５は、本発明の或る他の実施の形態に係るソーシャルコネクションを形成する光を使用したシステム５００を示している。図５に示されているように、システム５００は、電子モバイルデバイス５２０、位置特定システム５３０、識別システム５４０、視覚化コントローラ５５０、メモリ５６０、視覚化インフラストラクチャ５７０及び視覚化アクチュエータ５８０を含んでいる。
【００８３】
ユーザ５１０に近い電子モバイルデバイス５２０は、モバイルデバイス５２０についてのデバイス識別子を示す信号を送る。電子モバイルデバイス５２０の例示的な具体例は、携帯電話機、ＳＭＳデバイス、個人用の携帯情報端末、ＢLＡＣＫＢＥＲＲＹデバイス、ＩＰＨＯＮＥデバイス及びプログラム可能なＲＦＩＤタグを含むデバイスを含んでいる。
【００８４】
位置特定システム５３０は、リンク５０１を介してモバイルデバイス５２０のデバイス識別子を示す信号を受け取り、この信号に基づいてモバイルデバイス５２０の位置及び向きを決定する。位置特定システム５３０は、更に、モバイルデバイス５２０の位置及び向きに基づいてユーザ５１０に関連する位置及び向きを決定する。その後、この位置特定システムは、ユーザ５１０の位置及び向きを示す信号を送る。或る実施の形態によれば、上記位置特定システムは、ＧＰＳ、アシスト型ＧＰＳ、三角測量、信号強度解析及び加速度計技術のような１つ又はそれ以上の技術を用いてモバイルデバイスの位置を決定する。位置特定システム５３０は、図４の位置特定システム４１０に関して述べられた任意のタイプの位置特定システムであり得る。
【００８５】
識別システム５４０は、リンク５０２を介してモバイルデバイス５２０についてのデバイス識別子を示す信号を受け取り、モバイルデバイス５２０についてのデバイス識別子に基づいてユーザ５１０に関連するユーザ識別子を決定する。識別システム５４０は、更に、ユーザ識別子を示す信号を送る。識別システム５４０は、図４の識別システム４２０に関して述べられた任意のタイプの識別システムであり得る。
【００８６】
メモリ５６０は、少なくともユーザ５１０のユーザ識別子を１つ又はそれ以上のユーザデータと関連付ける。メモリ５６０は、図１Ａのメモリ１３０に関して述べられた任意のタイプのメモリであり得る。
【００８７】
視覚化コントローラ５５０は、リンク５０３を介してモバイルデバイス５２０の位置及び向きを示す信号を受け取る。視覚化コントローラ５５０は、また、リンク５０４を介してユーザ５１０のユーザ識別子を示す信号を受け取り、リンク５０５を介してメモリ５６０からユーザ識別子に関連する１つ又はそれ以上のユーザデータを取り出し、１つ又はそれ以上のユーザデータと以下の１つ又はそれ以上、すなわち、ユーザ５１０の位置及びユーザ５１０の向きの１つ又はそれ以上とを有する組み合わせに基づいてオーラ作成コマンドを生成する。上記視覚化コントローラは、また、リンク５０６を介してオーラ作成コマンドを送る。視覚化インフラストラクチャ５７０は、オーラ作成コマンドを受け取り、リンク５０７を介してユーザ５１０に近い１つ又はそれ以上の視覚化アクチュエータ５８０を制御する。視覚化アクチュエータ５８０は、少なくともユーザ５１０に関連する１つ又はそれ以上のユーザデータを有するオーラ５９０を視覚的に表示する。視覚化コントローラは、図４の視覚化コントローラ４４０に関して述べられた任意のタイプの視覚化コントローラであり得る。
【００８８】
図６は、本発明の或る他の実施の形態に係るソーシャルコネクションを形成する光を使用したシステム６００を示している。図６に示されているように、システム６００は、少なくとも、電子モバイルデバイス６３０、識別システム６４０、位置特定システム６５０、視覚化コントローラ６３０−１、メモリ６３０−２、視覚化インフラストラクチャ６６０及び視覚化アクチュエータ６７０を含んでいる。
【００８９】
ユーザ６１０に近い電子モバイルデバイス（モバイルデバイス）６３０は、モバイルデバイス６３０についてのデバイス識別子を示す信号を送る。モバイルデバイス６３０は、視覚化コントローラ６３０−１及びメモリ６３０−２を含んでいる。モバイルデバイス６３０は、図５の電子モバイルデバイス５２０に関して述べられた任意のタイプの電子モバイルデバイスであり得る。視覚化コントローラ６３０−１は、図４の視覚化コントローラ４４０に関して述べられた任意のタイプの視覚化コントローラであり得る。メモリ６３０−２は、図１Ａのメモリ１３０に関して述べられた任意のタイプのメモリであり得る。
【００９０】
位置特定システム６５０は、モバイルデバイス６３０についてのデバイス識別子を示す信号を受け取り、この信号に基づいてモバイルデバイス６３０の位置及び向きを決定する。位置特定システムは、更に、モバイルデバイス６３０の位置及び向きに基づいてユーザ６１０についての位置及び向きを決定し、リンク６０１を介してユーザ６１０の位置及び向きを示す信号を送る。位置特定システム６５０は、図４の位置特定システム４１０に関して述べられた任意のタイプの位置特定システムであり得る。
【００９１】
識別システム６４０は、リンク６０２を介してモバイルデバイス６３０についてのデバイス識別子を示す信号を受け取り、このモバイルデバイス６３０のデバイス識別子に基づいてユーザ６１０に関連するユーザ識別子を決定する。この識別システムは、更に、リンク６０２を介してユーザ６１０に関連するユーザ識別子を示す信号を送る。識別システム６４０は、図４の識別システム４２０に関して述べられた任意のタイプの識別システムであり得る。
【００９２】
モバイルデバイス６３０内に含まれる視覚化コントローラ６３０−１は、ユーザ６１０の位置及び向きを示す信号を受け取るとともに、ユーザ６１０に関連するユーザ識別子を示す信号を受け取り、同じくモバイルデバイス６３０内に含まれるメモリ６３０−２からユーザ６１０に関連するユーザ識別子に関連する１つ又はそれ以上のユーザデータを取り出す。視覚化コントローラ６３０−１は、また、１つ又はそれ以上のユーザデータと以下の１つ又はそれ以上、すなわち、ユーザ６１０の位置及びユーザ６１０の向きの１つ又はそれ以上とを有する組み合わせに基づいてオーラ作成コマンドを生成する。モバイルデバイス６３０は、その後、リンク６０３を介して視覚化インフラストラクチャ６６０に上記オーラ作成コマンドを送る。その後、視覚化インフラストラクチャ６６０は、リンク６０４を介してユーザ６１０に近い１つ又はそれ以上の視覚化アクチュエータ６７０を制御する。視覚化アクチュエータ６７０は、少なくともユーザ６１０に関連する１つ又はそれ以上のユーザデータを有するオーラ６２０を視覚的に表示する。視覚化コントローラ６３０−１は、図４の視覚化コントローラ４４０に関して述べられた任意のタイプの視覚化コントローラであり得る。
【００９３】
図７は、本発明の或る実施の形態に係るソーシャルコネクションを形成する光を使用したシステム７００を示している。図７に示されているように、システム７００は、位置特定システム７１０、識別システム７２０、視覚化コントローラ７３０、メモリ７４０、視覚化インフラストラクチャ７５０、１つ又はそれ以上の視覚化アクチュエータ７６０及び１つ又はそれ以上の視覚化アクチュエータ７７０を含んでいる。
【００９４】
位置特定システム７１０は、ユーザ７７０−２に関連する位置及び向きを決定し、リンク７０１を介してユーザ７７０−２の位置及び向きを示す信号を送る。位置特定システム７１０は、また、ユーザ７６０−２の位置及び向きを決定し、リンク７０１を介してユーザ７６０−２の位置及び向きを示す他の信号を送る。位置特定システム７１０は、図４の位置特定システム４１０に関して述べられた任意のタイプの位置特定システムであり得る。
【００９５】
識別システム７２０は、ユーザ７７０−２に関連するユーザ識別子を決定し、リンク７０２を介してユーザ７７０−２に関連するユーザ識別子を示す信号を送る。識別システム７２０は、また、ユーザ７６０−２に関連するユーザ識別子を決定し、リンク７０２を介してユーザ７６０−２に関連するユーザ識別子を示す信号を送る。識別システム７２０は、図４の識別システム４２０に関して述べられた任意のタイプの識別システムであり得る。
【００９６】
メモリ７４０は、少なくともユーザ７７０−２のユーザ識別子を１つ又はそれ以上のユーザデータと関連付け、少なくともユーザ７６０−２のユーザ識別子を１つ又はそれ以上のユーザデータと関連付ける。メモリ７４０は、図１Ａのメモリ１３０に関して述べられた任意のタイプのメモリであり得る。
【００９７】
視覚化コントローラ７３０は、ユーザ７７０−２の位置及び向きを示す信号及びユーザ７７０−２に関連するユーザ識別子を示す信号を受け取り、リンク７０３を介してメモリ７４０からユーザ７７０−２のユーザ識別子に関連する１つ又はそれ以上のユーザデータを取り出す。視覚化コントローラ７３０は、また、ユーザ７６０−２の位置及び向きを示す信号及びユーザ７６０−２に関連するユーザ識別子を示す信号を受け取り、リンク７０３を介してメモリ７４０からユーザ７６０−２のユーザ識別子に関連する１つ又はそれ以上のユーザデータを取り出す。視覚化コントローラ７３０は、更に、ユーザ７７０−２に関連する１つ又はそれ以上のユーザデータと、以下の１つ又はそれ以上、すなわち、ユーザ７７０−２の位置及びユーザ７７０−２の向きの１つ又はそれ以上とを有する組み合わせに基づいて第１のオーラ作成コマンドを生成する。同様に、視覚化コントローラ７３０は、ユーザ７６０−２に関連する１つ又はそれ以上のユーザデータと、以下の１つ又はそれ以上、すなわち、ユーザ７６０−２の位置及びユーザ７６０−２の向きの１つ又はそれ以上とを有する組み合わせに基づいて第２のオーラ作成コマンドを生成する。視覚化コントローラ７３０は、図４の視覚化コントローラ４４０に関して述べられた任意のタイプの視覚化コントローラであり得る。
【００９８】
視覚化コントローラ７３０は、リンク７０４を介して上記第１及び第２のオーラ作成コマンドを送る。視覚化インフラストラクチャ７５０は、上記第１及び第２のオーラ作成コマンドを受け取り、視覚化アクチュエータ７７０がユーザ７７０−２に近いオーラ７７０−１を視覚的に表示するようにリンク７０５を介してユーザ７７０−２に近い視覚化アクチュエータ７７０を制御する。オーラ７７０−１は、ユーザ７７０−２に関連する少なくとも１つ又はそれ以上のユーザデータを有している。同様に、視覚化インフラストラクチャ７５０は、リンク７０６を介してユーザ７６０−２に最も近い視覚化アクチュエータ７６０を制御する。視覚化インフラストラクチャ７５０は、視覚化アクチュエータ７６０がユーザ７６０−２に近いオーラ７６０−１を視覚的に表示するように視覚化アクチュエータ７６０を制御する。オーラ７６０−１は、ユーザ７６０−２に関連する少なくとも１つ又はそれ以上のユーザデータを有している。或る実施の形態によれば、ユーザ７７０−２に関連する１つ又はそれ以上のユーザデータとユーザ７６０−２に関連する１つ又はそれ以上のユーザデータとの相関関係の検出に応じて、視覚化インフラストラクチャ７５０は、更に、ユーザ７７０−２とユーザ７６０−２との関連性を視覚的に表示するために１つ又はそれ以上の視覚化アクチュエータを制御する。
【００９９】
本明細書において幾つかの発明の実施の形態が説明及び図示されたが、当業者であれば、本明細書において述べられた機能を実行する及び／又は結果及び／又は利点の１つ以上を得るための種々の他の手段及び／又は構成を容易に構想するであろう。また、そのような変形例及び／又は変更例のそれぞれは、本明細書において述べられた発明の実施の形態の範囲内にあると見なされる。より一般的には、当業者であれば、本明細書において述べられた全てのパラメータ、寸法、材料及び構成は例示的であるように意図されており、本発明の教示が使用される具体的な用途に依存することを容易に理解するであろう。当業者は、日常の実験のみを用いて、本明細書において述べられた具体的な発明の実施の形態の多くの均等物を認識する又は確認することができるであろう。従って、上記実施の形態は単に例として与えられており、添付の特許請求の範囲及びその均等物の範囲内において、発明の実施の形態は、具体的に説明され、特許請求の範囲に記載されたやり方以外のやり方で実施され得ることを理解されたい。この開示の発明の実施の形態は、本明細書において述べられた個々の特徴、システム、物品、材料、キット及び／又は方法に向けられている。また、そのような特徴、システム、物品、材料、キット及び／又は方法が互いに矛盾しないのであれば、２つ又はそれ以上のそのような特徴、システム、物品、材料、キット及び／又は方法の任意の組み合わせは、この開示の発明の範囲内に含まれる。
【０１００】
本明細書において定義され、使用される場合、全ての定義は、辞書を超える定義、参照することにより組み込まれる文書内の定義及び／又は定義された用語の通常の意味を支配すると理解されたい。
【０１０１】
明細書及び特許請求の範囲において本願で用いられる場合、不定冠詞「a」及び「an」は、反対のことを明確に示されない限り、「少なくとも１つ」を意味すると理解されたい。「及び／又は」という表現は、明細書及び特許請求の範囲において本願で用いられる場合、そのような等位結合した要素、すなわち、あるケースでは接続的に存在する要素及び他のケースでは選言的に存在する要素の「どちらか一方又は両方」を意味すると理解されたい。「及び／又は」を伴って列挙された複数の要素は、同じように、すなわち、そのような等位結合した要素の「１つ又はそれ以上」と解釈されるべきである。「及び／又は」節により明確に特定された要素以外の他の要素が、明確に特定されたこれらの要素に関係があろうとなかろうとオプションで存在し得る。従って、非限定的な例として、「Ａ及び／又はＢ」の記載は、「有する」のような非制限的な言葉と共に用いられる場合、一実施の形態では、Ａのみ（オプションでＢ以外の要素を含む）を意味し、他の形態では、Ｂのみ（オプションでＡ以外の要素を含む）を意味し、更に他の実施の形態では、Ａ及びＢの両方（オプションで他の要素を含む）を意味する等である。
【０１０２】
明細書及び特許請求の範囲において本願で用いられる場合、１つ又はそれ以上の要素のリストに関連する「少なくとも１つ」という表現は、要素のリスト内の要素の任意の１つ又はそれ以上から選択された少なくとも１つの要素を意味すると理解されるべきであり、要素のリスト内に明確に列挙されたありとあらゆる要素の少なくとも１つを必ずしも含むものではなく、要素のリストにおける要素の任意の組み合わせを排除するものではない。この定義は、明確に特定されたこれらの要素に関係があろうとなかろうと、「少なくとも１つ」という表現が指す要素のリスト内において明確に特定された要素以外に要素がオプションで存在することも可能にする。従って、非限定的な例として、「Ａ及びＢの少なくとも１つ」（又は、同等に「Ａ又はＢの少なくとも１つ」、同等に「Ａ及び／又はＢの少なくとも１つ」）は、一実施の形態では、Ｂは存在しない（オプションでＢ以外の要素を含む）状態での少なくとも１つの、オプションで１つよりも多く含むＡを意味し、他の形態では、Ａは存在しない（オプションでＡ以外の要素を含む）状態での少なくとも１つの、オプションで１つよりも多く含むＢを意味し、更に他の実施の形態では、少なくとも１つの、オプションで１つよりも多く含むＡ及び少なくとも１つの、オプションで１つよりも多く含むＢ（オプションで他の要素を含む）を意味する等である。
【０１０３】
反対のことを明確に示されない限り、１つよりも多いステップ又は動作を含む本願の特許請求の範囲のいかなる方法においても、当該方法のステップ又は動作の順序は、必ずしも該方法のステップ又は動作が列挙されている順序に限定されるものではないことも理解されたい。
【０１０４】
特許請求の範囲において、括弧内の任意の参照符号は、単に便宜的なものであり、決して特許請求の範囲を限定するように解釈されるべきではない。
【０１０５】
特許請求の範囲及び上記明細書において、「有する」、「含む（including）」、「担持する」、「持つ」、「含む（containing）」、「伴う」、「保持する」、「によって構成される」等のような全ての移行句は、非制限的である、すなわち、含むが限定されるものではないことを意味すると理解されるべきである。「から成る」及び「から本質的に成る」という移行句のみが、それぞれ、排他的又は半排他的な移行句である。
【図１Ａ】
2012525048.tif 000003
【図１Ｂ】
2012525048.tif 000004
【図２】
2012525048.tif 000005
【図３】
2012525048.tif 000006
【図４】
2012525048.tif 000007
【図５】
2012525048.tif 000008
【図６】
2012525048.tif 000009
【図７】
2012525048.tif 000010
【国際調査報告】
2012525048.tif 000011
2012525048.tif 000012
2012525048.tif 000013
2012525048.tif 000014
2012525048.tif 000015